(57)【要約】【課題】  家具として有効に利用できると共に、本格的な様式を備える新規な床の間様式の組立家具を提供する。【解決手段】  キャスターを備え、上面を適宜な化粧床板で構成し、前面部に床框２を備えた床部材１と、中空体で形成した床柱部材３と、枠構造で且つ枠内に適宜な軽量充填材を配置し、表面をふすま用表面材で被覆して形成した３個の面材を、折り重ね且つ三面に開放できるように連結し、床部材の左右辺及び奥辺上に載置する切り欠き部を備えると共に、床柱部材との連結部を設けた壁部材４と、床柱部材と壁部材の前面上部間に架設する落し掛け５１、壁板５２、上縁材５３で構成される垂れ壁部材５と、組み合わせた床柱部材と壁部材の開口上面を覆うように装着できる天井部材６とからなる。【選択図】  図１
2007029418.tif 000002
【特許請求の範囲】
【請求項１】
キャスターを備え、上面を適宜な化粧床板で構成し、前面部に床框を備えた床部材と、床部材の前面角部に装着可能とし、且つ背面部に壁部材との後方嵌合連結部を設け、内面部上方に垂れ壁を構成する落し掛け、壁板、上縁材との内面嵌合連結部を設けた中空体で形成した床柱部材と、枠構造で且つ枠内に適宜な軽量充填材を配置し、表面をふすま用表面材で被覆して形成した３個の面材を、折り重ね且つ三面に開放できるように連結し、床部材の左右辺及び奥辺上に載置する切り欠き部を備えると共に、床柱部材との当接箇所に端面嵌合連結部を設け、上方に垂れ壁を構成する落し掛け、壁板、上縁との内面嵌合連結部を設けた壁部材と、組み合わせた床柱部材と壁部材の前面上部間に架設する落し掛け、壁板、上縁材で構成される垂れ壁部材と、組み合わせた床柱部材と壁部材の開口上面を覆うように装着できる天井部材とからなることを特徴とする組立家具。
【請求項２】
床部材の前辺部に装着可能とし、両端部に連結臍部を突設した床框部材を有し、床柱部材の内面部下方に、前記床框部材の連結臍部と対応する臍溝を設け、壁部材の床柱と対面する箇所の下方に床框部材の連結臍部と対応する臍溝を設けてなる請求項１記載の組立家具。
【請求項３】
床柱部材及び壁部材の内面嵌合連結部を、落し掛け及び壁板との連結部を臍孔とし、落し掛け及び壁板の連結箇所を対応する臍部に形成し、上縁材との連結部を、上方から挿入する蟻溝とし、上縁材の連結部を蟻臍に形成してなる請求項１又は２記載の組立家具。
【請求項４】
天井部材の底面部を、組み合わせた床柱部材と壁部材の開口上面に嵌合する装飾天井部としてなる請求項１乃至３記載の何れかの組立家具。
【請求項５】
壁部材の奥面板部の前面に凹部を形成すると共に、前記凹部と一致する大きさの障子戸を形成し、凹部内に嵌合装着してなる請求項１乃至３記載の何れかの組立家具。
【発明の詳細な説明】
【技術分野】
【０００１】
本発明は、床の間様式の組立家具に関するものである。
【背景技術】
【０００２】
組立式の床の間は、床の間を備えていない居室に簡単に床の間を構築できると便利であるし、また洋室を和風の雰囲気とするにも容易にできる。
【０００３】
このような目的のために従前より組立式床の間が提案されている。具体的には特開２００１−２０７６３４号公報（特許文献１）には、互いに開閉可能に連接した左右一対の左右衝立板と、該一対の左右衝立板を所定角度になして立設させる連結部材と、該連結部材により前記左右衝立板が連結された状態で、該左右衝立板の前面に配設可能な置き床とを備える組立式床の間が開示されている。
【０００４】
【特許文献１】特開２００１−２０７６３４号公報。
【発明の開示】
【発明が解決しようとする課題】
【０００５】
組立式床の間は、本格的な床の間とは言えず、また家具として利用価値も低い。そこで本発明は、家具として有効に利用できると共に、本格的な様式を備える新規な床の間様式の組立家具を提案したものである。
【課題を解決するための手段】
【０００６】
本発明に係る組立家具は、床部材と、床柱部材と、壁部材と、垂れ壁部材と、天井部材で構成され、床部材は、キャスターを備え、上面を適宜な化粧床板で構成し、前面部に床框を備えてなり、床柱部材は、床部材の前面角部に装着可能とし、且つ背面部に壁部材との後方嵌合連結部を設け、内面部上方に垂れ壁を構成する落し掛け、壁板、上縁材との内面嵌合連結部を設けた中空体で形成してなり、壁部材は、枠構造で且つ枠内に適宜な軽量充填材を配置し、表面をふすま用表面材で被覆して形成した３個の面材を、折り重ね且つ三面に開放できるように連結し、床部材の左右辺及び奥辺上に載置する切り欠き部を備えると共に、床柱部材との当接箇所に端面嵌合連結部を設け、上方に垂れ壁を構成する落し掛け、壁板、上縁との内面嵌合連結部を設けてなり、垂れ壁部材は、組み合わせた床柱部材と壁部材の前面上部間に架設する落し掛け、壁板、上縁材で構成され、天井部材は、組み合わせた床柱部材と壁部材の開口上面を覆うように装着できる構造としたことを特徴とするものである。
【０００７】
また前記の床部材を、キャスターを備え、上面を適宜な化粧床板で構成した床部材と、床部材の前辺部に装着可能とし、両端部に連結臍部を突設した床框部材の２部材で構成し、床柱部材の内面部下方に、前記床框部材の連結臍部と対応する臍溝を設け、壁部材の床柱と対面する箇所の下方に床框部材の連結臍部と対応する臍溝を設けてなるものである。
【０００８】
而して前記の組立家具は、床部材（床框部材を別に形成する場合には、床框部材を床部材に装着する）に床柱部材を装着起立させ、折り畳まれている壁部材を開放して３面の壁を構成し、一方の側面板部は床柱と連結すると共に、切り欠き部を床部材の周囲部に載置し、垂れ壁部材で床柱部材と床柱部材と対面する壁部材間を連結すると、柱部材、壁部材、垂れ壁部材でしっかりとした矩形枠が形成され、前記矩形枠の上部開口箇所に天井部材を装着することで床の間様式の空間が形成されることなる。そして前記空間に花瓶、花、掛け軸などを飾ったり、別に形成した地袋形状の別の家具を収納するなどして使用されるものである。
【０００９】
また特に本発明に係る組立家具（請求項３）は、前記の家具において、床柱部材及び壁部材の内面嵌合連結部を、落し掛け及び壁板との連結部を臍孔とし、落し掛け及び壁板の連結箇所を対応する臍部に形成し、上縁材との連結部を、上方から挿入する蟻溝とし、上縁材の連結部を蟻臍に形成してなるものである。
【００１０】
従って垂れ壁部材の装着に際して、落し掛け及び壁板の連結用の臍部を臍孔に挿入して、上縁材は上方から蟻溝内に蟻臍を挿入するものであるから、落し掛け及び壁板によって開口前部の間隔か一定に保たれると共に、上縁材の装着で、開口前部が広がるのが防止されるもので、全体の矩形枠の構築が容易に行うことができる。
【発明の効果】
【００１１】
本発明の構成は上記のとおりであり、分離されている各部材は、コンパクトに梱包することができ、順次組み立てることで容易に床の間風空間を備えた家具を得ることができたもので、当該家具の使用によって居室に床の間を設置できるし、洋室の和風化を容易に実現することができたものである。
【発明を実施するための最良の形態】
【００１２】
次に本発明の実施の形態について説明する。実施形態に示した組み立て用のキットは、床部材１、床框部材２、床柱部材３、壁部材４、垂れ壁部材５、天井部材６で構成される。
【００１３】
床部材１は、所定の大きさ（約一畳程度）で、適宜な強度を備えた基枠部１１に移動用キャスター１２を付設し、上面に化粧床板（ケヤキ板等）１３を貼り付けてなるものである。また基枠部１１の前面部分には、連結用臍孔１４を設けてなる。
【００１４】
床框部材２は、所定の化粧柱で形成した框本体２１と、框本体２１の下方に、框本体２１より後退させた下柱２２とを一体として形成しているもので、下柱２２の両端面には連結臍部２３を突設し、背面には臍孔を形成し、適宜な臍体２４を持って、床部材１の前面に固定してなるものである（図３）。
【００１５】
床柱部材３は、表面に化粧板を貼り付けた中空柱体であり、組上げられる床の間様式の家具において、左前方の角部に起立することになるもので、内側面の下方の所定位置には、床框部材２の連結臍部２３と対応する臍溝３１を設け、内面部上方の所定位置に後述する垂れ壁部材５を構成する落し掛け５１、壁板５２、上縁材５３との内面嵌合連結部３２を設け、背面部に壁部材４との後方嵌合連結部３３を設けてなる。
【００１６】
内面嵌合連結部３２は、落し掛け５１及び壁板５２の端部に設けた臍部５１１，５２１と対応する臍孔３２１，３２２と、上縁材５３の端部に設けた蟻臍５３２と対応し、当該蟻臍５３２を上方からの落とし込みで装着できる蟻溝３２３で構成される。
【００１７】
また後方嵌合連結部３３は、後述する壁部材４の左面板部４２の前端面が嵌合する溝３３１と、溝３３１内の上下数箇所に設けた蟻臍３３２で構成されるものである。
【００１８】
壁部材４は、床の間の背面部分となる背面板部４１と、左右壁面となる左面板部４２及び右面板部４３で構成され、各面板部は、フィルム被覆等の吸湿防止処置を施した細木材で枠状にして且つ適宜な補強杆を差し渡して形成した枠部４４の枠内空間に、ダンボール板、紙製ハニカム構造板、発泡板など軽量充填材４５を嵌めこみ、表面を襖紙（和紙、漆和紙、絢布、八千代織等従前から襖に使用されているもの）４６を貼着したものである。
【００１９】
背面板部４１は、前面部の中央適宜範囲に凹部４１１を形成し、凹部４１１内の所定箇所に磁石（又は金属板）４１２を設けておき、別に前記凹部４１１と一致する形状の障子戸４１３を形成し、前記障子戸４１３の裏面所定位置に、金属板（又は磁石：対面する磁石４１２に変えて金属板を採用した場合）４１４を設けておくものである。更に前面部の下方部分を後方に切り欠いて床板への載置部４１５を設けてなる。
【００２０】
また背面板部４１の両端に、左右面板部４２，４３を連結するもので、連結構造は、左右面板部４２，４３が、背面板部４１に重なり合い、また開放した際に、背面板部４１の両端面と、左右面板部４２，４３の後方内面が密着するように、背面板部４１及び左右面板部４２，４３の所定位置に丁番凹部４７を形成し、当該丁番凹部４７内に、スライド丁番４８を設ける（図９）。
【００２１】
また左面板部４２は、前端面に前述した床柱部材３の後方嵌合連結部３３の溝３３１内の上下数箇所に設けた蟻臍３３２と対応し、蟻臍３３２が導入される箇所と、導入箇所の上部に蟻臍３３２が嵌合する部分を備えた装着孔４２１を設け、内面部の下方は、床部材１の両側部分が入り込む所定形状の切り欠き部４２２を設けたものである。
【００２２】
右面板部４３は、先端が床框部材２の配置位置まで突出する長さとし、内面部の下方には、床部材１の両側部分が入り込む所定形状の切り欠き部４３１を設け、更に床框部材２の連結臍部２３と対応する臍穴４３２を設け、内面部の上方には、床柱部材３の内面嵌合連結部３２と一致する臍穴４３３，４３４と、上方開口の蟻溝４３５を設けたものである。
【００２３】
垂れ壁部材５は、前述した通り落し掛け５１、壁板５２、上縁材５３で構成され、落とし掛け５１は、床柱部材３と対応する化粧柱で、両端に臍部５１１を突設してなる。また壁板５２は、表面に突板を貼着して化粧材で、やはり両端に臍部５２１を突設してなる。
【００２４】
上縁材５３は、適宜な細材（壁板５２よりは前後幅が広い）であり、両端部に、蟻溝３２３、４３５に上方から落とし込みができる蟻臍５３１を設けたものである。
【００２５】
天井部材６は、組み立てられる床の間様式の空間の上部に配置されるもので、周囲部が庇状に突出し、且つ各部材の頂部を被覆する枠部６１と、全体を覆う被覆板６２と、被覆板６２の下方に、組み合わせた床柱部材３と壁部材４の開口上面に嵌合する装飾天井部６３からなる。
【００２６】
特に装飾天井部６３は、前記した開口上面に嵌合する回縁を備え、その内方を網代天井としたり、神代杉を使用する等の適宜な装飾を施した天井としたものである。
【００２７】
前記の家具の組み立てについて、その手順にそって説明する。第一に床部材１と、床框部材２を組み合わせるもので、床框部材２の背面に設けた臍孔に臍体２４を差し入れ、同時に臍体２４の他方部分を床部材１の連結用臍孔１４に差し込み、床部材１と床框部材２を一体とする。
【００２８】
次に床柱体３を、床框部材２の連結臍部２３を床柱部材３の臍溝３１に差し入れて起立させる（図５）。
【００２９】
壁部材４をコの字状に開放し、左面板部４２の端面を床柱部材３の溝３３１に嵌合すると共に、装着孔４２１内に蟻臍３３２を導入して床柱部材３と左面板部４２の連結を行う（図１２）と同時に、背面板部４１の載置部４１５、及び左右面板部４２，４３の切り欠き部４２２，４３１を化粧床板１３の周囲部分に載置する。更に床框部材２の左側の連結臍部２３を右面板部４３の臍穴４３２に挿入する（図１０）。
【００３０】
図１０で示すように床及び三方向の壁で構築された状態の後、垂れ壁部材５を装着するもので、落し掛け５１の両端の臍部５１１を床柱部材３の臍孔３２１と左面板部４２の臍穴４３３に挿入し、壁板５２の両端臍部５２１を、床柱部材３の臍孔３２２と左面板部４２の臍穴４３４に挿入する。
【００３１】
更に前記の挿入後床柱部材３と右面板部４３を所定位置（前記の落し掛け５１と壁板５２がしっかりと架設される位置）として、上方から上縁材５３の蟻臍５３１を蟻溝３２３，４３５に装着する。
【００３２】
従って上縁材５３で床柱部材３と右面板部４３の間隔が一定に保持されるので、落し掛け５１と壁板５２が外れることなく架設されることになり、全体の箱型がしっかりと形成されるものである。
【００３３】
特に前記の組み立て作業においては、釘やネジを全く使用することなく、臍連結のみで組上げられているものである。
【００３４】
前記の箱型が形成された後に天井部材６を取り付けるもので、天井部材６は、前記の箱型における上部開口部（矩形枠）に、装飾天井部６３を嵌合すると全体が形成される。但し家具の移動倒伏に際して天井部材６が離脱しないように、この天井部材６は、壁部材４と釘着する。
【００３５】
また障子戸４１３は凹部４１１に嵌合し磁力吸着で固定する。なお障子戸４１３を備えずに、全体を壁面として、掛け軸吊下げ用金具等を付設しても良い。
【００３６】
而して前記の家具は、床の間様式となっているもので、洋室内に配置することで和風の居室とすることができ、家具の床の間空間に花瓶、花、掛け軸などを飾ったり、別に形成した地袋形状の別の家具を収納するなど種々の使用形態を採用できるものである。
【図面の簡単な説明】
【００３７】
【図１】本発明の実施形態の全体図（組立後の状態）。
【図２】同床部材及び床框部材の斜視図。
【図３】同床部材及び床框部材の組み合わせ説明図（断面図）。
【図４】同床柱部材の斜視図。
【図５】同床部材・床框部材と床柱部材の組み合わせ説明図（斜視図）。
【図６】同壁部材の斜視図。
【図７】同壁部材の右面板部の説明図（斜視図）。
【図８】同壁部材の背面板部と障子戸の説明図（断面図）。
【図９】同壁部材の折り畳み説明図（断面図）。
【図１０】同組立途中の説明図。
【図１１】同壁面部材と床部材の連結状態の説明図（断面図）。
【図１２】同壁面部材と床柱部材の連結状態の説明図（断面図）。
【図１３】同垂れ壁部材の説明図（斜視図）。
【図１４】同床柱部材と垂れ壁部材の連結状態の説明図（連結前の斜視図）。
【図１５】同天井部材の装着状態の説明図（断面図）。
【符号の説明】
【００３８】
１          床部材
１１        基枠部
１２        移動用キャスター
１３        化粧床板
１４        連結用臍孔
２          床框部材
２１        框本体
２２        下柱
２３        連結臍部
２４        臍体
３          床柱部材
３１        臍溝
３２        内面嵌合連結部
３２１，３２２      臍孔
３２３        蟻溝
３３        後方嵌合連結部
３３１        溝
３３２        蟻臍
４          壁部材
４１        背面板部
４１１        凹部
４１２        磁石
４１３        障子戸
４１４        金属板
４１５        載置部
４２        左面板部
４２１        装着孔
４２２        切り欠き部
４３        右面板部
４３１        切り欠き部
４３２        臍穴（下方）
４３３，４３４  臍穴（上方）
４３５        蟻溝
４４        枠部
４５        軽量充填材
４６        襖紙
４７        丁番凹部
４８        スライド丁番
５          垂れ壁部材
５１        落し掛け
５１１        臍部
５２        壁板
５２１        臍部
５３        上縁材
５３１        蟻臍
６          天井部材
６１        枠部
６２        被覆板
６３        装飾天井部
【図１】
2007029418.tif 000003
【図２】
2007029418.tif 000004
【図３】
2007029418.tif 000005
【図４】
2007029418.tif 000006
【図５】
2007029418.tif 000007
【図６】
2007029418.tif 000008
【図７】
2007029418.tif 000009
【図８】
2007029418.tif 000010
【図９】
2007029418.tif 000011
【図１０】
2007029418.tif 000012
【図１１】
2007029418.tif 000013
【図１２】
2007029418.tif 000014
【図１３】
2007029418.tif 000015
【図１４】
2007029418.tif 000016
【図１５】
2007029418.tif 000017